(57)【要約】      （修正有）【課題】シャフトに対する支持強度を低下させることなくシャフト部材の支持杆部分を通過する液体の流れを阻害することのないマグネットポンプのシャフト支持部材を提供する。【解決手段】マグネットポンプのインペラのシャフトを、回転の中心を保持した状態でケーシングに固定するシャフト支持部材において、シャフト支持部材１が、シャフトを回転の中心位置に保持した状態で回転自在に支持する支持部１１と、ケーシングの内壁に円環状に当接する円環部１２と、支持部から円環部まで放射状に延伸する複数本の支持杆１３と、を有して成り、複数本の支持杆の各々が支持部から円環部まで円弧状に延伸する構成である。【選択図】図２
0003230209.tif 000002
【実用新案登録請求の範囲】
【請求項１】
マグネットポンプのインペラのシャフトを、回転の中心を保持した状態でケーシングに固定するシャフト支持部材において、
シャフト支持部材が、シャフトを回転の中心位置に保持した状態で回転自在に支持する支持部と、ケーシングの内壁に円環状に当接する円環部と、前記支持部から円環部まで放射状に延伸する複数本の支持杆と、を有して成り、
複数本の支持杆の各々が支持部から円環部まで円弧状に延伸する構成であること、
を特徴とするマグネットポンプのシャフト支持部材。
【請求項２】
シャフト支持部の円環部が、ライナーリングをケーシングに保持する構成であることを特徴とする請求項１に記載のマグネットポンプのシャフト支持部材。
【考案の詳細な説明】
【技術分野】
【０００１】
本考案はマグネットポンプのシャフト支持部材に関し、詳しくはマグネットカップリング式のポンプのインペラの回転軸であるシャフトをケーシングに回転自在に支持するシャフト支持部材に関する。
【背景技術】
【０００２】
マグネットポンプは、ケーシング内に固定したシャフト（支持軸、回転軸とも言う。）に回転軸受を介して回転可能に支持されると共に従動側マグネットを収容するマグネットキャンと、該マグネットキャンの一端に取り付けられて回転することにより液体の吸込・吐出を行うインペラと、ケーシング外において該ケーシングの外周に近接して回転する駆動側マグネットと、該駆動側マグネットを回転駆動するモータと、から主として構成されており、駆動側マグネットの回転力が従動側マグネットに磁力によって非接触で伝達することによってポンプ動作する構成を有するものである。かかる構成によって、モータとポンプ部分とが遮断されているため、液漏れ無くポンプ動作することが可能なものである。
【０００３】
インペラ（及びマグネットキャン）を回転可能に支持するシャフトは、シャフト支持部材によって回転の中心を保持した状態でケーシングに固定されている。
このシャフト支持部材は、マグネットポンプに限らず液体用ポンプ（例えば、特許文献１等参照）においては、シャフトを回転の中心位置に保持した状態で回転自在に支持する支持部と、ケーシングの内壁に円環状に当接する円環部と、前記支持部から円環部まで放射状に延伸する複数本の支持杆と、を有して構成されているのが一般的となっている。
【先行技術文献】
【特許文献】
【０００４】
【特許文献１】特開昭４９−１０８６０４号
【考案の概要】
【考案が解決しようとする課題】
【０００５】
特許文献１の技術では、シャフト支持部材の支持杆は支持部から円環部まで直線形状の放射状に３本が配置された構成となっている。
【０００６】
シャフト支持部材の支持杆は、ポンプの吸込口からインペラへ液体が流入する経路中に配設されているために、支持杆各々の太さや本数が液体の流れに影響し易く、本数が多い場合や支持杆各々の太さが太い場合には液体の流れを阻害してしまうという問題点を有し、また本数が少ない場合や支持杆各々の太さが細い場合にはシャフトの支持強度が確保できずウォーターハンマー現象やキャビテーションが発生した場合に損傷したり破損してしまうという問題点を有している。
【０００７】
そこで本考案の課題は、シャフトに対する支持強度を低下させることなくシャフト部材の支持杆部分を通過する液体の流れを阻害することのないマグネットポンプのシャフト支持部材を提供することにある。
【課題を解決するための手段】
【０００８】
上記本考案の課題は下記構成によって達成される。
【０００９】
１．マグネットポンプのインペラのシャフトを、回転の中心を保持した状態でケーシングに固定するシャフト支持部材において、
シャフト支持部材が、シャフトを回転の中心位置に保持した状態で回転自在に支持する支持部と、ケーシングの内壁に円環状に当接する円環部と、前記支持部から円環部まで放射状に延伸する複数本の支持杆と、を有して成り、
複数本の支持杆の各々が支持部から円環部まで円弧状に延伸する構成であること、
を特徴とするマグネットポンプのシャフト支持部材。
【００１０】
２．シャフト支持部の円環部が、ライナーリングをケーシングに保持する構成であることを特徴とする上記１に記載のマグネットポンプのシャフト支持部材。
【考案の効果】
【００１１】
請求項１に示す考案によれば、シャフトに対する支持強度を低下させることなくシャフト部材の支持杆部分を通過する液体の流れを阻害することのないマグネットポンプのシャフト支持部材を提供することができる。
【００１２】
特に、インペラの回転によって液体の流れは渦流と成るため、インペラへ流入する液体に対する支持杆の摩擦抵抗が単なる直線形状の構成に比して円弧状の構成は少なくすることができる。従って、同一の本数や太さの場合において円弧状の支持杆は直線形状の支持杆に比してエネルギー損失が少ないため、本数を減じたり、太さを細くすることなく、即ち、支持強度を下げることなくポンプ効率を向上させることができる。
【００１３】
請求項２に示す考案によれば、シャフトの支持と同時にライナーリングの保持も可能とすることにより部品点数を減じることができるため、メンテナンス性が向上する。
【図面の簡単な説明】
【００１４】
【図１】本考案に係るマグネットポンプのシャフト支持部を用いたマグネットポンプの要部断面構成図（正面図）
【図２】本発明のシャフト支持部材の一実施例を示す左側面図
【考案を実施するための形態】
【００１５】
以下、本考案の実施例について図１及び図２に基づき説明する。
【００１６】
本考案のシャフト支持部材１は、マグネットポンプ２のインペラ３のシャフト４を、回転の中心を保持した状態でケーシング５に固定する部材である。
シャフト支持部材１は、シャフト４を回転の中心位置に保持した状態で回転自在に支持する支持部１１と、ケーシング５の内壁に円環状に当接する円環部１２と、前記支持部１１から円環部１２まで放射状に延伸する複数本（本実施例では３本）の支持杆１３・１３・１３と、を有して成り、
複数本の支持杆１３・１３・１３の各々が支持部１１から円環部１２まで円弧状に延伸する構成であること、を主構成とするものである。
かかる構成によれば、インペラ３へ流入する液体に対する支持杆１３の摩擦抵抗が単なる直線形状の構成に比して円弧状の構成は少なくすることができるため、エネルギー損失が少なくなることから、支持杆１３の本数を減じたり、太さを細くすることなく、即ち、シャフト４に対する支持強度を下げることなくポンプ効率を向上させることができる。
尚、本明細書における「回転」は一方向への回転に限らず、逆方向への回転や一回転以下の回動、更には間欠的な回転又は回動を含む。
【００１７】
また、シャフト支持部１の円環部１２は、ライナーリング６をケーシング５に保持する構成であることが好ましく、保持性をより向上させるために円環部１２にライナーリング６を固着、融着、溶着、或いはその他の組付け手段により一体化した構成とすることがより好ましい。かかる構成によれば、シャフト４の支持と同時にライナーリング６の保持も可能であるため、部品点数を減じることができ、メンテナンス性が向上する。
【００１８】
本考案のシャフト支持部１が適用されるマグネットポンプ２としては種々公知公用のマグネットカップリング式のポンプを挙げることができ、代表的な構成としては、ケーシング５内に固定したシャフト（支持軸、回転軸とも言う。）４に回転軸受７を介して回転可能に支持されると共に従動側マグネット８を収容するマグネットキャン９と、該マグネットキャン９の一端に取り付けられて回転することにより液体の吸込・吐出を行うインペラ３と、ケーシング５外において該ケーシング５の外周に近接して回転する駆動側マグネット１０と、該駆動側マグネット１０を回転駆動するモータＭと、から主として構成されており、駆動側マグネット１０の回転力が従動側マグネット８に磁力によって非接触で伝達することによってポンプ動作する構成を有するものである。
【００１９】
本考案において、ライナーリング６はマウスリングやケーシングウエアリングと類似乃至は同義であってもよい。
【符号の説明】
【００２０】
１  シャフト支持部材
１１  支持部
１２  円環部
１３  支持杆
２  マグネットポンプ
３  インペラ
４  シャフト
５  ケーシング
６  ライナーリング
７  回転軸受
８  従動側マグネット
９  マグネットキャン
１０  駆動側マグネット
Ｍ  モータ
【図１】
0003230209.tif 000003
【図２】
0003230209.tif 000004